(57)【特許請求の範囲】
【請求項１】
測定液が通過する測定槽の側壁面に設けられ、光源からの光を前記測定槽内の測定液へ入射する透明な第一の窓と、
前記測定槽の側壁面の、前記第一の窓と対向する位置に設けられ、前記測定液中を進んだ光を通過させる透明な第二の窓とを有し、
前記第二の窓から出力された光を検出することにより、前記測定液の濁度を求める濁度計において、
前記第一の窓と接するよう設けられ、清浄なゼロ水が通過する第一の流水路と、
前記第二の窓と接するよう設けられ、清浄なゼロ水が通過する第二の流水路と、
前記第一の窓から入射する光の光軸上に設けられ、前記第一の流水路および第二の流水路のそれぞれと前記測定槽の内部とを連通する、それぞれ第一の貫通孔および第二の貫通孔とを備え、
前記第一の貫通孔および第二の貫通孔は、孔の途中でそれぞれ空気穴とドレインを有した第一の空隙および第二の空隙と連通し、
前記第一の空隙および第二の空隙でそれぞれ二分される前記第一の貫通孔および第二の貫通孔は、前記第一の流水路側および第２の流水路側が前記測定槽内部側より小さいことを特徴とする濁度計。
【請求項２】
測定液が通過する測定槽の側壁面に設けられ、光源からの光を前記測定槽内の測定液へ入射する透明な第一の窓と、
前記測定槽の側壁面の、前記第一の窓と対向する位置に設けられ、前記測定液中を進んだ光を通過させる透明な第二の窓とを有し、
前記第二の窓から出力された光を検出することにより、前記測定液の色度を求める色度計において、
前記第一の窓と接するよう設けられ、清浄なゼロ水が通過する第一の流水路と、
前記第二の窓と接するよう設けられ、清浄なゼロ水が通過する第二の流水路と、
前記第一の窓から入射する光の光軸上に設けられ、前記第一の流水路および第二の流水路のそれぞれと前記測定槽の内部とを連通する、それぞれ第一の貫通孔および第二の貫通孔とを備え、
前記第一の貫通孔および第二の貫通孔は、孔の途中でそれぞれ空気穴とドレインを有した第一の空隙および第二の空隙と連通し、
前記第一の空隙および第二の空隙でそれぞれ二分される前記第一の貫通孔および第二の貫通孔は、前記第一の流水路側および第２の流水路側が前記測定槽内部側より小さいことを特徴とする色度計。
【発明の詳細な説明】
【技術分野】
【０００１】
本発明は、測定液が流れる測定槽の側面からレーザー光等の光を当て、測定液を通過した光量から濁度および色度を求めるそれぞれ濁度計および色度計に関する。
【背景技術】
【０００２】
従来の濁度計の構成例を、図面を用いて説明する。図５は、従来の濁度計の構成例を示した図である。
図５において、光源１は、レーザ光等の特定の波長を有する光を出力する。
濁度計として用いる場合には、濁質分にのみ感じる波長、例えば６６０ｎｍの波長を用いる。
測定槽２には測定液が流れている。光源１からの光は、測定槽２の一方の側面から入力され、測定液を通過し、測定槽２の他方の側面から出力する。
光検出部３は、測定槽２の他方の側面から出力された光を検出し、透過光量に基づいて、測定液の濁度を測定する。
【０００３】
図６は、図５に示す測定槽２を詳細に示した図である。
測定槽２は上面が開放された概直方体状（いわゆるバスタブ状）に形成され、測定槽２の下部には、測定液が流入する流入部２１が設けられている。
測定槽２の上面は開放されており、測定槽２の側面上縁部には切欠状の流出部２２が設けられ、この流出部２２から測定液がオーバーフローする。
測定槽２の側面には光源１からの光を入力する第一の窓２３が設けられ、対向する側面には測定液を通過した光を出力する第二の窓２４が設けられている。
光検出部３は、第二の窓２４から出力された光を検出し、測定液の濁度を測定する。
【０００４】
このような、従来の濁度計の動作を詳細に説明する。
測定液は、測定槽２の流入部２１から流入し、流出部２２からオーバーフローして流出する。
光源１からの光は、測定槽２の第一の窓２３から入力され、測定液を通過し、第二の窓２４から出力する。
光検出部３は、光源１の光の光量と、測定槽２の他方の側面から出力する光の光量と、を比較することで透過光量を算出し、この透過光量に基づいて測定液の濁度を測定する。
【０００５】
なお、光源１の出力する光の波長を、測定液の色成分に感じる波長、例えば３９０ｎｍとして、濁度計と同様の動作をさせることで、測定液の色度を測定する色度計とすることができる。
【０００６】
特許文献１には、測定槽を通過した光量から濁度および色度を検出するそれぞれ濁度計および色度計が記載されている。
【先行技術文献】
【特許文献】
【０００７】
【特許文献１】特開２００３−０５７２３０号公報
【発明の概要】
【発明が解決しようとする課題】
【０００８】
しかしながら、このような測定槽の窓が測定液とが直接接している濁度計および色度計では、測定液の成分の影響によって窓が汚れることがある。このため、窓を定期的に清掃する必要や、窓の汚れが濁度や色度に加算されないよう校正を行う必要があるという課題があった。
【０００９】
そこで本発明は、窓と測定液との間に清浄なゼロ水が流れる流路を設けて、ゼロ水が窓と常に接するようにすることで、窓が汚れることの無い濁度計および色度計を実現することを目的とする。
【課題を解決するための手段】
【００１０】
このような課題を解決するために、本発明のうち請求項１記載の発明は、
測定液が通過する測定槽の側壁面に設けられ、光源からの光を前記測定槽内の測定液へ入射する透明な第一の窓と、
前記測定槽の側壁面の、前記第一の窓と対向する位置に設けられ、前記測定液中を進んだ光を通過させる透明な第二の窓とを有し、
前記第二の窓から出力された光を検出することにより、前記測定液の濁度を求める濁度計において、
前記第一の窓と接するよう設けられ、清浄なゼロ水が通過する第一の流水路と、
前記第二の窓と接するよう設けられ、清浄なゼロ水が通過する第二の流水路と、
前記第一の窓から入射する光の光軸上に設けられ、前記第一の流水路および第二の流水路のそれぞれと前記測定槽の内部とを連通する、それぞれ第一の貫通孔および第二の貫通孔とを備え、
前記第一の貫通孔および第二の貫通孔は、孔の途中でそれぞれ空気穴とドレインを有した第一の空隙および第二の空隙と連通し、
前記第一の空隙および第二の空隙でそれぞれ二分される前記第一の貫通孔および第二の貫通孔は、前記第一の流水路側および第２の流水路側が前記測定槽内部側より小さいことを特徴とする。
【００１１】
請求項２記載の発明は、測定液が通過する測定槽の側壁面に設けられ、光源からの光を前記測定槽内の測定液へ入射する透明な第一の窓と、
前記測定槽の側壁面の、前記第一の窓と対向する位置に設けられ、前記測定液中を進んだ光を通過させる透明な第二の窓とを有し、
前記第二の窓から出力された光を検出することにより、前記測定液の色度を求める色度計において、
前記第一の窓と接するよう設けられ、清浄なゼロ水が通過する第一の流水路と、
前記第二の窓と接するよう設けられ、清浄なゼロ水が通過する第二の流水路と、
前記第一の窓から入射する光の光軸上に設けられ、前記第一の流水路および第二の流水路のそれぞれと前記測定槽の内部とを連通する、それぞれ第一の貫通孔および第二の貫通孔とを備え、
前記第一の貫通孔および第二の貫通孔は、孔の途中でそれぞれ空気穴とドレインを有した第一の空隙および第二の空隙と連通し、
前記第一の空隙および第二の空隙でそれぞれ二分される前記第一の貫通孔および第二の貫通孔は、前記第一の流水路側および第２の流水路側が前記測定槽内部側より小さいことを特徴とする。
【発明の効果】
【００２０】
本発明によれば、第一の窓と接するよう設けられ清浄なゼロ水が通過する第一の流水路と、第二の窓と接するよう設けられ清浄なゼロ水が通過する第二の流水路と、光源の光軸上に第一の流水路および第二の流水路のそれぞれと測定槽の内部とを連通する第一の貫通孔および第二の貫通孔とを備えているので、ゼロ水が窓と常に接し、窓が汚れることの無い濁度計および色度計を実現することができる。
【図面の簡単な説明】
【００２１】
【図１】本発明の一実施例の構成図である。
【図２】本発明の他の実施例の構成図である。
【図３】図２に示す装置の縦断面図である。
【図４】図３のＡで示す部分の拡大図である。
【図５】従来の濁度計および色度計の構成例を示した図である。
【図６】図５に示す装置の測定槽を詳細に示した図である。
【発明を実施するための形態】
【００２２】
以下本発明を、図面を用いて詳細に説明する。図１は本発明の一実施例を示した構成図である。
【００２３】
図１において、図示しない光源は、特定の波長を有する光を出力する。
本発明を濁度計として用いる場合には、濁質分にのみ感じる波長、例えば６６０ｎｍの波長を用いる。
測定液が流れるバスタブ状の測定槽４の下部には、測定液を流入する流入部４１が設けられている。
測定槽４の上面は開放されており、また、測定槽４の側面上縁部には切欠状の流出部４２が設けられ、この流出部４２から測定液がオーバーフローする。
測定槽４の側面の、それぞれ対向する位置には、光源からの光を入力する第一の窓４３と、測定液を通過した光を出力する第二の窓４４が設けられている。これらの窓はガラスまたは樹脂等により形成される。
測定槽４の側壁内には、第一の窓４３と接するように配置された第一の流水路４５と、第二の窓４４と接するよう配置された第二の流水路４６とが設けられる。第一の流水路４５および第二の流水路４６には、清浄なゼロ水が流されている。
第一の流水路４５および第二の流水路４６と、測定槽４の内部と連通する、それぞれ第一の貫通孔４７、第二の貫通孔４８が、第一の窓４３から入力する光の光軸上に設けられている。
図示しない光検出部は、測定槽４の第二の窓４４から出力された光を検出し、光の透過量に基づいて、測定液の濁度を測定する。
【００２４】
このような濁度計の動作を図面を用いて詳細に説明する。
測定液は、測定槽４の流入部４１から流入し、流出部４２からオーバーフローして流出する。
第一の流水路４５および第二の流水路４６にはゼロ水が流されているので、第一の窓４３および第二の窓４４はゼロ水が常に接した状態となる。
光源からの光は、測定槽４の第一の窓４３から入力され、第一の流水路４５および第一の貫通孔４７を通り、測定液を通過し、第二の貫通孔４８および第二の流水路４６を通り、第二の窓４４から出力する。
光検出部は、測定槽４の第二の窓４４から出力された光を検出し、光の透過量に基づいて、測定液の濁度を測定する。
【００２５】
なお、図１に示す装置を用いて色度を測定する場合、光源の波長を、測定液の色成分に感じる波長、例えば３９０ｎｍとする。そして、濁度計の場合と同様の動作によって、測定槽４の第二の窓４４から出力された光を検出し、光の透過量に基づいて、測定液の色度を測定する色度計として動作させることができる。
【００２６】
ここで、第一の流水路４５および第二の流水路４６を流れるゼロ水は、それぞれ第一の貫通孔４７、第二の貫通孔４８を経由して、測定槽４に流入しようとし、一方、測定槽４に流れる測定液は、第一の貫通孔４７、第二の貫通孔４８を経由して、それぞれ第一の流水路４５および第二の流水路４６へ流入しようとするため、ゼロ水と測定液の混合が起こる可能性がある。しかしながら、第一の流水路４５および第二の流水路４６を流れるゼロ水の水圧等を適切に調整することで、第一の流水路４５および第二の流水路４６と、測定槽４と間の水圧を平衡させ、ゼロ水と測定液の混合を小さく抑えることが可能である。
【００２７】
このように、第一の窓４３と接するよう設けられ清浄なゼロ水が通過する第一の流水路４５と、第二の窓４４と接するよう設けられ清浄なゼロ水が通過する第二の流水路４６と、第一の窓４３から入射する光の光軸上に設けられ第一の流水路４５および第二の流水路４６のそれぞれと測定槽４の内部とを連通する第一の貫通孔４７および第二の貫通孔４８と、を備えているので、第一の窓４３および第二の窓４４と、測定液とが直接接することなく、第一の窓４３および第二の窓４４が汚れることの無い、濁度計および色度計を実現することができる。
【００２８】
次に、本発明の他の実施例を、図面を用いて詳細に説明する。
図２は本発明の他の実施例を示した構成図である。図３は、図２に示す装置の縦断面図である。
図２〜３において、レーザ光等である光源１は、特定の波長を有する光を出力する。濁度計として用いる場合には、濁質分にのみ感じる波長、例えば６６０ｎｍの波長を用いる。
測定液が流れる測定槽５の下部には、測定液を流入する流入部５１が設けられている。測定槽５の上部には測定液を流出させる流出部５２が設けられている。
【００２９】
ここで、流出部５２は、下流に図示しないバルブを設け、このバルブを調節することによって測定槽５の測定液の圧力を調節することができる構成としてもよいし、または、流出部５２を開放して測定液をオーバフローにより流出させる構成としてもよい。
【００３０】
測定槽５の側面の、それぞれ対向する位置には、光源からの光を入力する第一の窓５３と、測定槽５を通過した光を出力する第二の窓５４が設けられている。
測定槽５の側壁内には、第一の窓５３と接するように配置された第一の流水路５５と、第二の窓５４と接するよう配置された第二の流水路５６とが設けられている。第一の流水路５５および第二の流水路５６には、清浄なゼロ水が流れている。
第一の流水路５５および第二の流水路５６のそれぞれと、測定槽５の内部と連通する第一の貫通孔５７および第二の貫通孔５８は、第一の窓５３から入射する光の光軸上に設けられている。
測定槽５の側壁内には、上部に空気孔５９を有し下部に図示しないドレインを有する第一の空隙６０および第二の空隙６１が設けられている。第一の貫通孔５７および第二の貫通孔５８は、それぞれ第一の空隙６０および第二の空隙６１によって二分される。
第一の空隙６０および第二の空隙６１により測定液の圧力を落とせるため、測定液の大部分が第一の空隙６０および第二の空隙６１に流れ出て、さらにドレインより排出される。
図示しない光検出部は、第二の窓５４から出力する光を検出し、光の透過量に基づいて、測定液の濁度を測定する。
【００３１】
このような、濁度計の動作を図面を用いて詳細に説明する。
測定液は、測定槽５の流入部５１から流入し、流出部５２から流出する。
第一の流水路５５および第二の流水路５６にはゼロ水が流されるので、第一の窓５３および第二の窓５４はゼロ水が常に接した状態となる。
光源からの光は、測定槽５の第一の窓５３から入力され、第一の流水路５５および第一の空隙６０で二分された第一の貫通孔５７を通り、測定槽５の測定液を通過し、第二の空隙６１で二分された第二の貫通孔５８を通り、第二の流水路５６を通過し、第二の窓５４から出力する。
光検出部は、第二の窓５４から出力する光を検出し、光の透過量に基づいて、測定液の濁度を測定する。
【００３２】
図２〜３に示す装置を用いて色度を測定する場合、光源の波長を、測定液の色成分に感じる波長、例えば３９０ｎｍとする。そして、濁度計の場合と同様の動作によって、測定槽４の第二の窓４４から出力された光を検出し、光の透過量に基づいて、測定液の色度を測定する色度計として動作させることができる。
【００３３】
図４は、図３の「Ａ」に示す部分の拡大図である。図４に詳細に示すとおり、第一の空隙６０によって二分された第一の貫通孔５７のうち、第一の流水路５５の側の方を、測定槽５内部側の方より小さくしてもよい。こうすることで、測定液は第一の貫通孔５７を通じて第一の流水路５５に更に入りにくくなる。
また、第二の空隙６１によって二分された第二の貫通孔５８においても、第二の流水路５６の側の方を、測定槽５内部側の方より小さくすれば、測定液が貫通孔５８を通じて第二の流水路５５に入りにくくなる。
【００３４】
このように、本発明の他の実施例によれば、図１に示す装置による効果に加え、以下のような効果がある。第一の流水路５５および第二の流水路５６を流れるゼロ水は、それぞれ第一の空隙６０および第二の空隙６１に流れ出る。また、測定槽５を流れる測定液は、それぞれ第一の空隙６０および第二の空隙６１に流れ出る。この際に第一の空隙６０、第二の空隙６１には、ゼロ水と測定液が混ざり合って溜まるが、必要に応じてドレインから排出される。
第一の空隙６０および第二の空隙６１によって、それぞれ第一の貫通孔５７および第二の貫通孔５８の、測定液またはゼロ水の圧力を落とすことで、測定液とゼロ水との混合液が、第一の流水路５５および第二の流水路５６に逆流してゼロ水と混合してしまうことや、測定槽５へ逆流して測定液と混合してしまうことを抑えることができる。
【００３５】
また、図４に示す空隙の間隔（ａ）が、測定液を通過する光の経路長にくらべて十分小さい場合には、第一の空隙６０および第二の空隙６１に溜まる混合液による濁度または色度の測定値への影響を無視または十分抑えることが出来る。
【符号の説明】
【００３６】
４，５  測定槽
４１，５１  流入部
４２，５２  流出部
４３，５３  第一の窓
４４，５４  第二の窓
４５，５５  第一の流水路
４６，５６  第二の流水路
４７，５７  第一の貫通孔
４８，５８  第二の貫通孔
５９  空気孔
６０  第一の空隙
６１  第二の空隙
【図１】
0005601047.tif 000002
【図２】
0005601047.tif 000003
【図３】
0005601047.tif 000004
【図４】
0005601047.tif 000005
【図６】
0005601047.tif 000006
【図５】
0005601047.tif 000007